(57)【要約】【課題】同時プレイ型のゲームにおいて各ゲーム装置で使用する同じマップ情報を少ない通信負荷で生成することを可能にする。【解決手段】同時プレイゲームに参加するゲームユニットでは、システム管理装置３０による抽選（乱数生成処理）で得られた共通の乱数値（抽選結果）に対応したマップ情報が生成される。よって、各参加ゲームユニットでは、同じマップを持った仮想ゲーム空間を用いて同時プレイゲームが進行される。各参加ゲームユニットで同じマップをもった仮想ゲーム空間を生成するために通信する情報は、乱数値情報であるため、その情報量は極めて少なくて済む。【選択図】図１２
2010017258.tif 000002
【特許請求の範囲】
【請求項１】
抽選装置と複数のゲーム装置とを含み、通信ネットワークを介して互いに情報通信可能に接続したゲームシステムであって、
各ゲーム装置は、
上記抽選装置による抽選で得られた各ゲーム装置で共通の抽選結果を示す抽選結果情報を取得する情報取得手段と、
該情報取得手段が取得した抽選結果情報が示す抽選結果に対応するマップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを、それぞれ備えており、
各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするゲームシステム。
【請求項２】
請求項１のゲームシステムにおいて、
各ゲーム装置は、抽選手段をそれぞれ備えており、
各ゲーム装置のゲーム進行制御手段は、上記進行制御を行う第１制御モードと、上記通信手段で別キャラクタ位置情報を取得せず、かつ、上記別キャラクタ位置表示画像をゲーム画面上に表示させることもなく、上記ゲームの進行制御する第２制御モードとで、選択的に動作し得るものであり、
各ゲーム装置のマップ情報生成手段は、各ゲーム装置のゲーム進行制御手段が上記第２制御モードで動作する場合には、自己のゲーム装置の抽選手段が他のゲーム装置の抽選手段による抽選とは独立して行った抽選の結果に対応するマップ情報を生成することを特徴とするゲームシステム。
【請求項３】
請求項１又は２のゲームシステムにおいて、
各ゲーム装置は、各ゲーム装置のマップ情報生成手段が上記抽選結果情報を用いてマップ情報を生成する場合に、該抽選結果情報が示す抽選結果に基づいて上記仮想ゲーム空間内に存在させるゲーム要素の種類、数及び位置の少なくとも１つを決定する決定処理を行うゲーム要素決定処理手段を有し、
各ゲーム装置の仮想ゲーム空間生成手段は、上記マップ情報のほか、該ゲーム要素決定処理手段による決定結果に用いて、上記仮想ゲーム空間を生成することを特徴とするゲームシステム。
【請求項４】
複数のゲーム装置を通信ネットワークを介して互いに情報通信可能に接続したゲームシステムであって、
各ゲーム装置は、
各ゲーム装置で同じマップ情報を生成するための元情報を取得する情報取得手段と、
取得した元情報に対応するマップ情報を生成するマップ情報生成手段と、
プレイヤーの操作対象キャラクタが存在する仮想ゲーム空間を生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを、それぞれ備えており、
各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするゲームシステム。
【請求項５】
所定の抽選結果に対応するマップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを備えたゲーム装置であって、
外部の抽選装置による抽選で得られた抽選結果を示す抽選結果情報を取得する情報取得手段を有し、
上記マップ情報生成手段は、該情報取得手段が取得した抽選結果情報が示す抽選結果に対応するマップ情報を生成するものであり、
上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするゲーム装置。
【請求項６】
マップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを備えたゲーム装置であって、
他のゲーム装置と同じマップ情報を生成するための元情報を取得する情報取得手段を有し、
上記マップ情報生成手段は、該情報取得手段が取得した元情報に対応するマップ情報を生成するものであり、
上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするゲーム装置。
【発明の詳細な説明】
【技術分野】
【０００１】
本発明は、複数の同種のゲーム装置を通信ネットワークを介して互いに通信可能に接続したゲームシステム及びこれに用いるゲーム装置に関するものである。
【背景技術】
【０００２】
従来から、何らかの抽選手段の抽選結果を用いることによりマップ情報をランダムに生成し、このマップ情報を用いて生成される仮想ゲーム空間内の操作対象キャラクタの行動をプレイヤー操作に応じて決定しながらゲームが進行する各種ゲーム装置が知られている（例えば特許文献１）。このようなゲーム装置では、プレイヤーは、同じマップを持った仮想ゲーム空間でゲームをプレイする機会が少なくなるので、ゲームを繰り返しプレイするプレイヤーに対し、飽きを感じさせることが少ないという利点がある。
【０００３】
【特許文献１】特開２００８−１３６６９３号公報
【発明の開示】
【発明が解決しようとする課題】
【０００４】
ところが、マップ情報をランダムに生成する従来のゲーム装置は、プレイヤーが他のプレイヤーとの関わりを持つことなく個人的にプレイを楽しむ単独型のゲームを実行するものであった。これは次の理由による。
すなわち、複数のプレイヤーが互いに関わりを持ちながら同時にプレイするゲーム（以下「同時プレイ型のゲーム」という。）は、従来、複数のプレイヤーがそれぞれ操作する操作対象キャラクタを単一の仮想ゲーム空間内に同時に存在させてゲームが進行するというものであった。よって、各プレイヤーがプレイするゲーム装置では、同一のマップ情報を使用して同じ仮想ゲーム空間を生成する必要があった。ここで、各ゲーム装置が個々にランダムでマップ情報を生成すると、これらのゲーム装置間で互いに同一の仮想ゲーム空間を生成することができない。そのため、同時プレイ型のゲームにおいては、従来、そのゲームに用いる仮想ゲーム空間を生成するためのマップ情報をランダムに生成するという考え自体が存在しなかったのである。
【０００５】
しかし、同時プレイ型のゲームを実行するゲーム装置においても、これに用いる仮想ゲーム空間を生成するためのマップ情報をランダムに生成することが実現できれば、そのゲームを繰り返しプレイするプレイヤーに対して飽きを感じさせることを少なくできるので、非常に有益である。
【０００６】
本発明は、以上の背景に鑑みなされたものであり、その目的とするところは、同時プレイ型のゲームにおいて各ゲーム装置で使用する同じマップ情報を少ない通信負荷で生成することを可能にすることにより、同時プレイ型のゲームにおいてランダムに生成するマップ情報を用いることの実現が容易となるゲームシステム及びそのゲームシステムを構成するゲーム装置を提供することである。
また、本発明の他の目的は、同時プレイ型のゲームにおいて各ゲーム装置で使用する同じマップ情報を少ない通信負荷で生成することが可能なゲームシステム及びそのゲームシステムを構成するゲーム装置を提供することである。
【課題を解決するための手段】
【０００７】
上記目的を達成するために、請求項１の発明は、抽選装置と複数のゲーム装置とを含み、通信ネットワークを介して互いに情報通信可能に接続したゲームシステムであって、各ゲーム装置は、上記抽選装置による抽選で得られた各ゲーム装置で共通の抽選結果を示す抽選結果情報を取得する情報取得手段と、該情報取得手段が取得した抽選結果情報が示す抽選結果に対応するマップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを、それぞれ備えており、各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするものである。
このゲームシステムにおける各ゲーム装置は、別プレイヤーの操作対象キャラクタが存在する位置に対応するゲーム画面上の位置に別キャラクタ位置表示画像を表示しながらゲームが進行する同時プレイ型のゲームを実行することができる。このような同時プレイ型のゲームでは、他のゲーム装置でプレイする別プレイヤーの操作対象キャラクタに対応した別キャラクタ位置表示画像を、各ゲーム装置のゲーム画面上の対応位置に表示させる関係で、各ゲーム装置では同一のマップを持った仮想ゲーム空間を使用する必要があるが、本ゲームシステムの各ゲーム装置では、抽選装置による抽選で得られた各ゲーム装置で共通の抽選結果に対応したマップ情報が生成され、このマップ情報に基づいて生成される同じマップを持った仮想ゲーム空間を用いて同時プレイ型のゲームが進行される。
しかも、この同時プレイ型のゲームで用いるマップ情報は、抽選装置による抽選結果に対応したものであるため、ランダムに生成されるものである。
加えて、本ゲームシステムでは、マップ情報を生成するために各ゲーム装置が取得する情報は、単に抽選結果を示す情報であるため、その情報量は極めて少ない。よって、同時プレイ型のゲームを実行する際に各ゲーム装置で同一のマップを持った仮想ゲーム空間を生成するために各ゲーム装置で通信すべき情報通信量は非常に少なくて済む。一般に、本ゲームシステムのように複数のゲーム装置が通信ネットワークを介して接続されているシステムにおいて、新たな処理動作を実現するために通信負荷が増大することは、その新たな処理動作の実現の妨げとなる。本ゲームシステムにおける、同じマップを持った仮想ゲーム空間を用いて同時プレイ型のゲームを進行するための上述した処理動作は、通信負荷を増大させることがほとんど無いので、その実現が容易となる。
なお、本ゲームシステムで実行可能な同時プレイ型のゲームは、複数のプレイヤーがそれぞれ操作する操作対象キャラクタを単一の仮想ゲーム空間内に同時に存在させてゲームが進行するというものでも、複数のプレイヤーがそれぞれ操作する操作対象キャラクタを互いに同一のマップを持った個々の仮想ゲーム空間にそれぞれ存在させてゲームが進行するものでもよい。
【０００８】
また、請求項２の発明は、請求項１のゲームシステムにおいて、各ゲーム装置は、抽選手段をそれぞれ備えており、各ゲーム装置のゲーム進行制御手段は、上記進行制御を行う第１制御モードと、上記通信手段で別キャラクタ位置情報を取得せず、かつ、上記別キャラクタ位置表示画像をゲーム画面上に表示させることもなく、上記ゲームの進行制御する第２制御モードとで、選択的に動作し得るものであり、各ゲーム装置のマップ情報生成手段は、各ゲーム装置のゲーム進行制御手段が上記第２制御モードで動作する場合には、自己のゲーム装置の抽選手段が他のゲーム装置の抽選手段による抽選とは独立して行った抽選の結果に対応するマップ情報を生成することを特徴とするものである。
このゲームシステムにおいて、各ゲーム装置は、第２制御モードで動作することにより、プレイヤーが他のプレイヤーとの関わりを持つことなく個人的にプレイを楽しむ単独型のゲームを実行することができる。しかも、この単独型のゲームでも、ランダムに生成されるマップ情報に対応した仮想ゲーム空間が生成されるので、ゲームを繰り返しプレイするプレイヤーに対し、飽きを感じさせることが少ないという利点がある。
本ゲームシステムにおいて、各ゲーム装置は同時プレイ型のゲームと単独型のゲームの両方を選択的に実行することが可能である。しかも、同時プレイ型のゲーム進行を制御する第１制御モードでも、単独型のゲーム進行を制御する第２制御モードでも、同じマップ情報生成手段を用いてマップ情報を生成するので、個別のマップ情報生成手段を設ける場合に比べてハードウェア構成やソフトウェア構成を簡略化することができる。
加えて、単独型のゲームにおいてランダムに生成されるマップ情報を用いるゲーム装置は従来から存在するので、本ゲームシステムによれば、既存のゲーム装置の構成を利用して、ランダムに生成されるマップ情報を用いた同時プレイ型のゲームを実現することができる。
【０００９】
また、請求項３の発明は、請求項１又は２のゲームシステムにおいて、各ゲーム装置は、各ゲーム装置のマップ情報生成手段が上記抽選結果情報を用いてマップ情報を生成する場合に、該抽選結果情報が示す抽選結果に基づいて上記仮想ゲーム空間内に存在させるゲーム要素の種類、数及び位置の少なくとも１つを決定する決定処理を行うゲーム要素決定処理手段を有し、各ゲーム装置の仮想ゲーム空間生成手段は、上記マップ情報のほか、該ゲーム要素決定処理手段による決定結果に用いて、上記仮想ゲーム空間を生成することを特徴とするものである。
このゲームシステムにおいては、同時プレイ型のゲームの仮想ゲーム空間内に存在させるゲーム要素の種類、数及び位置の少なくとも１つも、マップ情報と同様にランダムに決定されるので、よりプレイヤーに飽きを感じさせないようにすることができる。
【００１０】
また、請求項４の発明は、複数のゲーム装置を通信ネットワークを介して互いに情報通信可能に接続したゲームシステムであって、各ゲーム装置は、各ゲーム装置で同じマップ情報を生成するための元情報を取得する情報取得手段と、取得した元情報に対応するマップ情報を生成するマップ情報生成手段と、プレイヤーの操作対象キャラクタが存在する仮想ゲーム空間を生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを、それぞれ備えており、各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするものである。
このゲームシステムにおいても、各ゲーム装置で、別プレイヤーの操作対象キャラクタが存在する位置に対応するゲーム画面上の位置に別キャラクタ位置表示画像を表示しながらゲームが進行する同時プレイ型のゲームを実行することができる。このような同時プレイ型のゲームでは、他のゲーム装置でプレイする別プレイヤーの操作対象キャラクタに対応した別キャラクタ位置表示画像を、各ゲーム装置のゲーム画面上の対応位置に表示させる関係で、各ゲーム装置では同一のマップを持った仮想ゲーム空間を使用する必要があるが、本ゲームシステムでは、マップ情報を生成するために各ゲーム装置が取得する情報は、そのマップ情報を生成するための元情報であるため、マップ情報そのものよりもその情報量をずっと少なくすることができる。よって、同時プレイ型のゲームを実行する際に各ゲーム装置で同一のマップを持った仮想ゲーム空間を生成するために各ゲーム装置で通信すべき情報通信量は非常に少なくて済む。
なお、本ゲームシステムで実行可能な同時プレイ型のゲームは、複数のプレイヤーがそれぞれ操作する操作対象キャラクタを単一の仮想ゲーム空間内に同時に存在させてゲームが進行するというものでも、複数のプレイヤーがそれぞれ操作する操作対象キャラクタを互いに同一のマップを持った個々の仮想ゲーム空間にそれぞれ存在させてゲームが進行するものでもよい。
【００１１】
また、請求項５の発明は、所定の抽選結果に対応するマップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを備えたゲーム装置であって、外部の抽選装置による抽選で得られた抽選結果を示す抽選結果情報を取得する情報取得手段を有し、上記マップ情報生成手段は、該情報取得手段が取得した抽選結果情報が示す抽選結果に対応するマップ情報を生成するものであり、上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするものである。
このゲーム装置によれば、他の同種のゲーム装置と協働することで、ランダムに生成されるマップ情報を用いた同時プレイ型のゲームを実行することが容易になる。
【００１２】
また、請求項６の発明は、マップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、該仮想ゲーム空間生成手段が生成した仮想ゲーム空間の少なくとも一部を所定の視点から見渡した画像が表現されるゲーム画面を、該ゲーム進行制御手段の進行制御に応じて表示するゲーム画面表示手段とを備えたゲーム装置であって、他のゲーム装置と同じマップ情報を生成するための元情報を取得する情報取得手段を有し、上記マップ情報生成手段は、該情報取得手段が取得した元情報に対応するマップ情報を生成するものであり、上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に、該別プレイヤーの操作対象キャラクタが存在することを表す別キャラクタ位置表示画像を表示したゲーム画面を、上記ゲーム画面表示手段により表示しながら、上記ゲームの進行制御を行うことを特徴とするものである。
このゲーム装置によれば、他の同種のゲーム装置と協働することで、同時プレイ型のゲームにおいて各ゲーム装置で使用する同じマップ情報を少ない通信負荷で生成することが可能となる。
【発明の効果】
【００１３】
以上より、本発明によれば、同時プレイ型のゲームを実行する際に各ゲーム装置で同一のマップを持った仮想ゲーム空間を生成するために各ゲーム装置で通信すべき情報通信量が非常に少なくて済むという優れた効果が得られる。これにより、ランダムに生成されるマップ情報を用いた同時プレイ型のゲームの実現が容易であるという優れた効果も得ることが可能となる。
【発明を実施するための最良の形態】
【００１４】
以下、本発明を、ゲーム装置としてのアーケードゲーム機であるメダルゲーム機を複数備えたゲームシステムに適用した一実施形態について説明する。
本実施形態に係る各メダルゲーム機では、プレイヤーが操作対象キャラクタであるゲーム主人公キャラクタ（以下、「主人公キャラクタ」という。）の行動を指示するための操作を行うことで、主人公キャラクタが城内を進んで城を占領することをゲーム目的とするロールプレイングゲームが展開される。その城内では、主人公キャラクタの行く手を阻む敵モンスター（他のキャラクタ）が出現するので、プレイヤーは、主人公キャラクタが敵モンスターに倒されることなく城を進み、城占領の証となる宝石（クリアの証）を取得できるように、主人公キャラクタの行動指示のための操作を行うことになる。プレイヤーに操作される主人公キャラクタは、敵モンスターに対抗するため、敵モンスターを攻撃したり、ゲーム状況変更要素である種々のアイテムカードや魔法カードを使用したりしながら、城内を進み、クリアの証の獲得を試みる。そして、主人公キャラクタがクリアの証を獲得して城の占領に成功すると、そのプレイヤーは占領した城の城主となることができ、城主となったプレイヤーは、自分の城を占領するために挑戦してくる他のプレイヤー（同一ゲーム施設内のゲームユニットでプレイするプレイヤー）と、一種の対戦ゲームを行うことができる。
【００１５】
各メダルゲーム機においては、通常モード（第２制御モード）では、ゲーム進行が互いに完全に独立した単独型ターン制ゲームが実行される。具体的には、プレイヤーが主人公キャラクタの行動について、１ターンに決定できる行動数分（本実施形態では１つ）だけ指示する操作を行うと、自分のターンが終了し、相手のターンとなって、メダルゲーム機の制御部が所定の行動決定プログラムに従って敵モンスター等の行動を決定するになる。本実施形態では、自分のターンと相手のターンとを交互に繰り返し実行することで、ゲームが進行する。ここで、通常モードの場合、単独型ターン制ゲームなので、プレイヤーがプレイするゲームの城内には自分以外の別プレイヤーが操作する操作対象キャラクタ（別プレイヤーキャラクタ）は存在しない。この城内におけるターン進行（言い換えるならば、城という仮想ゲーム空間内での仮想的な時間進行）には、別プレイヤーが関わることがないので、別プレイヤーに依存して自分のターンが回ってくるまで待たされるような事態は生じない。
【００１６】
一方、本実施形態において、各メダルゲーム機は、同じマップをもったそれぞれの仮想ゲーム空間で同時にプレイしている別プレイヤーの主人公キャラクタ（別プレイヤーキャラクタ）の位置（別プレイヤーのゲームの仮想ゲーム空間内の位置）と同一の位置（自分のゲームの仮想ゲーム空間内の位置）に、その別プレイヤーキャラクタの画像（別キャラクタ位置表示画像）が表示される同時プレイモード（第１制御モード）でも動作することができる。この同時プレイモードについての詳細は、後述する。
【００１７】
次に、本実施形態に係るゲームシステムの構成について説明する。
図１は、本実施形態に係るゲームシステム全体の概略構成図である。
このゲームシステムは、複数のゲーム施設にまたがって構築されており、各ゲーム施設には、各プレイヤーがゲームをプレイするためのメダルゲーム機である１２個のゲームユニット１と、施設管理装置２０とが配置されている。各ゲームユニット１は、ＬＡＮケーブル等の通信ラインにより施設管理装置２０に接続されており、互いに通信可能となっている。また、本ゲームシステムには、ゲームシステムを運営・管理するシステム管理装置３０も備わっており、システム管理装置３０は、全ゲームユニット１を施設管理装置２０を中継して統括的に制御する。システム管理装置３０と施設管理装置２０との間は、公衆通信網等の通信ラインによって接続されており、互いに通信可能となっている。
【００１８】
図２は、ゲームユニット１の外観図である。
ゲームユニット１は、ゲームの進行に応じたゲーム画面を表示するゲーム画面表示手段として機能するディスプレイ２と、ゲームの進行に応じた効果音やバックミュージック等の音を流すスピーカー３と、プレイヤーがゲーム画面上に出現する主人公キャラクタの行動を指示するための操作を含むゲーム操作を受け付ける操作受付手段を構成する操作レバー４及び３つの操作ボタン５ａ，５ｂ，５ｃと、ゲームユニット１とプレイヤーとの間でやりとりされるゲーム媒体であるメダル（有体物）のプレイヤーへの払い戻しを行うためのペイアウトボタン５ｄと、後述する可搬型記憶媒体としての磁気カードを取り出してゲームを終了するための保存終了ボタン５ｅとが設けられている。
【００１９】
プレイヤーは、ディスプレイ２に表示されるゲーム画面を見ながら、操作レバー４及び３つの操作ボタン５ａ，５ｂ，５ｃを操作することで、例えば、そのゲーム画面上に出現する主人公キャラクタをいずれの方向へ移動させるかを指示したり、どのアイテムカードを使用させるかを指示したりすることができる。また、ゲームユニット１には、プレイヤーからメダルを有体物の状態で受け取るためのメダル投入口６、プレイヤーに対してメダルを払い戻すためのメダル払い戻しロ７、ゲームを終了したプレイヤーが次回のプレイ時にゲームの続きを行うために、そのプレイヤーの個人情報や終了時のゲーム状況等を記録する磁気カード９を挿入したり取り出したりするためのカード挿入取出口８なども設けられている。
【００２０】
図３は、本ゲームシステムの制御系の主要構成を示すブロック図である。
本実施形態におけるゲーム制御系の構成は、主に、ゲームユニット１の制御部１０と、施設管理装置２０の制御部と、システム管理装置３０の制御部とから構成される。ゲームユニット１の制御部１０は、主に上述したロールプレイングゲームの全体的な進行制御を担う。また、施設管理装置２０の制御部は、その施設管理装置２０が設置されたゲーム施設内における１２個のゲームユニットでプレイするプレイヤー間の対戦ゲームに必要なデータの管理や制御を担うとともに、当該ゲーム施設内のゲームユニット１とシステム管理装置３０や他のゲーム施設のゲームユニットとの間の通信制御を担う。また、システム管理装置３０の制御部は、本ゲームシステム全体のプレイヤー情報の管理を担うほか、後述する同時プレイモードによる同時プレイゲームの管理や制御を担う。
【００２１】
ゲームユニット１の制御部１０は、主に、制御装置１１と、ＲＯＭ１２と、ゲーム情報記憶手段を構成するＲＡＭ１３と、情報取得手段及び通信手段を構成する通信装置１４とから構成される。制御装置１１は、ＲＯＭ１２に記憶されている各種プログラムを実行することで、マップ情報生成手段、仮想ゲーム空間生成手段、行動決定手段、ゲーム進行制御手段として機能し、各種処理や制御を行う。特に、制御装置１１は、その内部のコンピュータによりＲＯＭ１２に記憶されているゲーム実行プログラムを実行することで、上述したロールプレイングゲームの進行に必要な各種制御を行う。なお、制御装置１１は、ＲＡＭ１３と協働してゲーム情報記憶手段としても機能する。また、制御装置１１は、ディスプレイ２と協働してゲーム画面表示手段としても機能する。ＲＯＭ１２は、ゲームユニット１の制御部１０で行うべき各種処理や制御の実行プログラム等を記憶している。ＲＡＭ１３は、各種データあるいは情報を一時的に記憶するものである。特に、ＲＡＭ１３は、後述のメダルカウンタ１５がカウントしたメダル枚数を電子データに変換したゲーム媒体であるクレジットデータ（ポイントデータ）を記憶するプレイヤーポイント記憶手段としてのクレジットデータ記憶領域を有する。通信装置１４は、施設管理装置２０の制御部との間、又は、同一のゲーム施設若しくは別のゲーム施設に設置された他のゲームユニットとの間で、データ通信を行うためのものである。
【００２２】
なお、本実施形態では、各ゲーム施設のゲームユニットは、それぞれのゲーム施設の施設管理装置２０を経由して通信を行う構成としているが、同一ゲーム施設内の施設管理装置２０とゲームユニットとを並列関係に接続し、所定のゲートウェイ装置を介して他のゲーム施設のゲームユニットやシステム管理装置３０と施設管理装置２０を介さずに通信するようにしてもよい。
【００２３】
ゲームユニット１の制御部１０には、ディスプレイ２、スピーカー３、操作レバー・操作ボタン等４，５ａ，５ｂ，５ｃ，５ｄ，５ｅ、メダル投入口６に投入されたメダルの枚数をカウントするメダルカウンタ１５、メダル払い戻しロ７からメダルを排出するメダル排出ホッパ１６、カード挿入取出口８に挿入された磁気カード９に対してデータの書き込みを行うデータ書込手段としてのカードライタ１７、カード挿入取出口８に挿入された磁気カード９からデータの読み出しを行うデータ読出手段としてのカードリーダ１８などが接続されている。
【００２４】
施設管理装置２０の制御部は、主に、抽選装置として機能する制御装置２１と、ＲＯＭ２２と、ＲＡＭ２３と、ゲームユニット側通信装置２４と、システム管理装置側通信装置２５とから構成される。制御装置２１は、ＲＯＭ２２に記憶されている各種プログラムを実行し、各種制御を行う。ＲＯＭ２２は、施設管理装置２０の制御部で行うべき各種制御の実行プログラム等を記憶している。ＲＡＭ２３は、各種データあるいは情報を一時的に記憶するものである。ゲームユニット側通信装置２４は、当該ゲーム施設に設置された各ゲームユニット１の制御部１０との間でデータ通信を行うためのものである。システム管理装置側通信装置２５は、システム管理装置３０の制御部との間、あるいは、他のゲーム施設に設置された施設管理装置との間で、データ通信を行うためのものである。
【００２５】
システム管理装置３０の制御部は、主に、制御装置３１と、ＲＯＭ３２と、ＲＡＭ３３と、通信装置３４とから構成される。制御装置３１は、ＲＯＭ３２に記憶されている各種プログラムを実行し、各種制御を行う。特に、制御装置３１は、その内部のコンピュータによりＲＯＭ３２に記憶されている同時プレイゲーム用の実行プログラムを実行することで、同時プレイゲームに必要な各種制御を行う。ＲＯＭ３２は、システム管理装置３０の制御部で行うべき各種制御の実行プログラム等を記憶している。ＲＡＭ３３は、各種データあるいは情報を一時的に記憶するものである。通信装置３４は、各施設管理装置２０の制御部との間でデータ通信を行うためのものである。
【００２６】
本ゲームシステムにおいて、プレイヤーがゲームを終了する場合には、次回のゲーム再開時に、その終了時のゲーム状況を復元させるためのゲーム状況情報であるセーブデータを、カードライタ１７により磁気カード９に記録する。このセーブデータには、プレイヤーネーム（主人公キャラクタの名前）、累積プレイ時間、最終プレイ時刻、クリアした城名、自分が城主となっている城名、主人公キャラクタの能力（職業等）、プレイヤーが所有するゲーム状況変更要素のうちの使用可能要素であるアイテムカードの種類等のプレイヤー情報と、ゲーム終了時の主人公キャラクタがいる城の種類、その城内における主人公キャラクタ、敵モンスター又は未取得のアイテムカードの位置等のフィールドデータ等のゲーム情報とが含まれる。一方、プレイヤーが一度終了したゲームの続きを行う場合には、自分の磁気カード９をカード挿入取出口８に挿入する。これにより、カードリーダ１８は、その磁気カード９に記録されたセーブデータを読み取る。このセーブデータは、ＲＡＭ１３に記憶され、ＲＯＭ１２に記憶されたゲーム実行プログラムに読み込まれる。これにより、プレイヤーは、ゲーム実行プログラムを実行する制御装置１１により進行されるゲームにおいて、前回の続きのゲーム状況からプレイを再開することができる。
【００２７】
尚、磁気カード９にすべてのセーブデータを記録する必要はなく、例えば、磁気カード９にはプレイヤー識別情報であるプレイヤーＩＤ（カードＩＤ）を記録しておき、各プレイヤーＩＤに対応するセーブデータの一部又は全部を、システム管理装置３０のＲＡＭ３３や施設管理装置２０のＲＡＭ２３に記憶しておくようにしてもよい。この場合、磁気カード９からプレイヤーＩＤを読み取った後、そのプレイヤーＩＤに対応するセーブデータを、システム管理装置３０や施設管理装置２０から当該ゲームユニット１のＲＡＭ１３にダウンロードすることで、上記と同様に、前回の続きのゲーム状況からプレイを再開することができる。
【００２８】
次に、本ゲームシステムの各ゲームユニット１で行われるゲームの流れについて説明する。
図４は、各ゲームユニット１のＲＯＭ１２に格納されているゲーム実行プログラムを実行する制御装置１１によりゲーム進行が制御されるゲームの流れを示すフローチャートである。
プレイヤーは、ゲームプレイを開始する場合、まず、自分が持っているメダルをメダル投入口６へ投入する（Ｓ１）。これにより、投入されたメダルの枚数がメダルカウンタ１５によりカウントされ、そのカウントデータが制御装置１１へ送信される。制御装置１１は、受信したカウントデータに基づき、投入されたメダル枚数に相当する分のクレジットデータをＲＡＭ１３のクレジットデータ記憶領域へ記憶する（Ｓ２）。
【００２９】
また、プレイヤーは、メダル投入に前後して、磁気カード９をカード挿入取出口８に挿入する（Ｓ３）。初めてプレイする場合には、プレイヤーは、本ゲームシステムが設置されているゲーム施設の店員あるいは自動販売機などから新規な磁気カード９を入手し、その磁気カード９をカード挿入取出口８に挿入する。また、前回のゲームの続きをしようとするプレイヤーは、前回終了時のセーブデータが記録された磁気カード９をカード挿入取出口８に挿入する。このようにして磁気カード９を受け取ったゲームユニット１は、カードリーダ１８により磁気カード９に記録されたデータを読み出し、そのデータを制御装置１１に送る。制御装置１１は、受け取ったデータに応じて新規なプレイか否かを判断する（Ｓ４）。具体的には、磁気カード９内にプレイヤーＩＤが記憶されていない場合は新規なプレイであると判断し、プレイヤーＩＤが記憶されている場合は新規なプレイでないと判断する。
【００３０】
上記Ｓ４により新規プレイでないと判断された場合、制御装置１１は、施設管理装置２０を経由してシステム管理装置３０に対し、磁気カード９に記録されたセーブデータが有するプレイヤーＩＤのＩＤ番号を送信する。これを受信したシステム管理装置３０の制御装置３１は、当該プレイヤーＩＤのＩＤ番号に対応するプレイヤー情報がＲＡＭ３３に記憶されていることを確認し、これを確認したら前回の続きであると判断して、当該ＩＤ番号の送信元であるゲームユニット１の制御装置１１に対して新規なＩＤ番号を返信する。なお、当該プレイヤーＩＤのＩＤ番号に対応するプレイヤー情報がＲＡＭ３３に記憶されていることが確認できなかった場合、制御装置３１は、当該ＩＤ番号の送信元であるゲームユニット１の制御装置１１に対してエラー情報を返信し、そのゲームユニット１の制御装置１１にエラー処理を行わせる。新規ＩＤ番号を受信したゲームユニット１の制御装置１１は、カードリーダ１８により磁気カード９に記録されたセーブデータを読み出し（Ｓ５）、これをＲＡＭ１３に記憶する。そして、制御装置１１は、そのセーブデータに基づき、ＲＯＭ１２に記憶されたプログラムをロードし、セーブデータにより特定される前回の続きのゲーム状況に対応したゲーム画面をディスプレイ２に表示させ、ゲームを開始する（Ｓ７）。そして、制御装置１１は、セーブデータにより特定されるゲーム状況以後のゲーム進行を制御する。
【００３１】
一方、上記Ｓ４により新規プレイであると判断された場合、制御装置１１は、施設管理装置２０を経由してシステム管理装置３０に対し、ダミーＩＤを送信する。これを受信したシステム管理装置３０の制御装置３１は、新規プレイと認識し、当該ダミーＩＤ番号の送信元であるゲームユニット１の制御装置１１に対して、新規プレイ用のＩＤ番号を返信する。この新規プレイ用のＩＤ番号を受信した制御装置１１は、初期情報の入力及び設定のための処理を実行する（Ｓ６）。この初期情報の入力及び設定の処理では、まず、図５（ａ）に示す名前入力画面をディスプレイ２に表示させる。プレイヤーは、操作レバー４及び操作ボタン５ａを操作して、その名前入力画面に表示されている５０音ボタンのカーソルを移動させ、主人公キャラクタの名前を入力する。入力後、名前入力画面中の決定ボタンを選択すると、図５（ｂ）に示す名前確認画面が表示され、その画面中のＹｅｓボタンを選択することで名前を決定する。すると、ディスプレイ２には、図５（ｃ）に示す職業選択画面が表示される。この画面では、プレイヤーが操作する主人公キャラクタの職業を選択する。以上のようにして入力した内容や選択した内容は、制御装置１１によりプレイヤー情報としてＲＡＭ１３に記憶される。
【００３２】
このようにして初期情報の入力・設定の処理が終了したら、制御装置１１によりゲームが開始され（Ｓ７）、制御装置１１は図６に示すメインメニュー画面をディスプレイ２に表示させる。このメインメニュー画面には、同時プレイゲームをプレイするための同時プレイゲームボタンと、城の占領を目指す対戦ゲームボタンと、これらゲーム中にプレイヤーが使用できるアイテムカードや魔法カードの一覧を表示させるカード一覧ボタンとが用意されている。
【００３３】
ここで、プレイヤーが対戦ゲームを選択した場合、制御装置１１は、図７に示す城選択画面をディスプレイ２に表示させ、城選択処理を実行する。この城選択画面には、各城を示す表示エリアが表示される。そして、プレイヤーは、操作レバー４でカーソルを移動させることにより、挑戦する城を選択する。各表示エリアには、それぞれ城名と、挑戦費用が表示されている。各城では、それぞれ、互いに異なるターン制ゲームが進行される。また、各城では、それぞれ、過去に城の占領に成功したプレイヤーが城主となっており、プレイヤーは、その城主であるプレイヤーと対戦することになる。
【００３４】
具体的に説明すると、施設管理装置２０のＲＯＭ２２は、各城でのゲーム進行に必要なゲーム情報である城データを記憶した城情報データベースを記憶したデータ領域を有している。この城情報データベースに記憶されている城データに含まれる城名データには、プレイヤー識別情報である城主ＩＤ（城主となっているプレイヤーのＩＤ）が関連付けされている。
ゲームユニット１の制御装置１１は、プレイヤーが図６に示したメインメニュー画面で対戦ゲームを選択したときのボタン操作を受け付けることで、施設管理装置２０の制御装置２１に対戦データ要求を送信する。これを受信した施設管理装置２０の制御装置２１は、ゲームユニット１のディスプレイ２に図７に示した城選択画面を表示させるための画像データを返信する。そして、ディスプレイ２に表示された城選択画面で、プレイヤーが挑戦する城を選択する選択操作が制御装置１１に受け付けられると、制御装置１１は、その選択操作に係る城の城名データを含む城データ要求を、施設管理装置２０の制御装置２１に送信する。これを受信した施設管理装置２０の制御装置２１は、その城データ要求に含まれる城名データに対応する城データを、施設管理装置２０のＲＯＭ２２に記憶された城情報データベースから読み出す。そして、その城データは、制御装置１１へ返信される。そして、この城データを受信したゲームユニット１の制御装置１１は、その城データに基づくプログラムをロードし、ゲーム進行を制御する。
【００３５】
詳しくは、制御装置１１は、城データを受信したら、まず、乱数発生プログラムにより乱数を発生させる。そして、マップ情報生成手段として機能し、マップ情報生成プログラムを実行して、受信した城データと発生させた乱数とをマップ情報生成プログラムに入力し、城マップ情報を生成する。また、制御装置１１は、ゲーム要素決定処理手段として機能し、城内に配置される敵モンスターやカードの種類、数及び位置を決定するためのモンスター等決定プログラムを実行し、そのプログラムに乱数を入力してこれらを決定する。この決定内容は、城マップ情報に含められる。なお、マップ情報生成プログラムに入力する乱数と、モンスター等決定プログラムに入力する乱数は、別々に生成したものであってもよいし、同じものであってもよい。城マップ情報の内容は、乱数によって異なるものとなるため、同じ城でも、そのマップが同じものとはならない場合が多いし、配置される敵モンスターやカードの種類、数及び位置が同じものとはならない場合が多い。このように生成された城マップ情報が生成されると、その城マップ情報に基づく城（仮想ゲーム空間）内がゲーム画面上に表現され、ゲーム進行される。なお、予め用意された複数種類の城マップ情報の中から乱数によって１つの城マップ情報を選択し、その城マップ情報に基づく城（仮想ゲーム空間）内がゲーム画面上に表現され、ゲーム進行されるようにしてもよい。
【００３６】
また、ゲームユニット１のＲＯＭ１２は、各城データを特定するための城名データに関連付けて挑戦費用データがそれぞれ記憶された城挑戦情報データベースを記憶するデータ領域を有している。制御装置１１は、上述のようにして、図７に示した城選択画面で選択された城の選択操作を受け付けると、上記探検ゲームと同様に、ＲＯＭ１２に記憶された城挑戦情報データベースから城名データに対応した挑戦費用データを読み出し、その挑戦費用データに相当するクレジット分を、ＲＡＭ１３に記憶されたクレジットデータから減らす処理を行う。なお、以下、クレジットデータを増減させる処理についても、上記と同様に行われる。
【００３７】
ここで、ＲＡＭ１３に記憶されているクレジットデータが挑戦費用データに相当するクレジット分に満たない場合、プレイヤーに対してメダルの追加投入を促す画面を表示させる。メダルが投入されたら、上述したように、投入されたメダルの枚数に相当する分のクレジットデータがＲＡＭ１３のクレジットデータ記憶領域へ記憶される。なお、メダル投入を促しても、メダルが投入されない場合には、その城への挑戦を許可しない。以下、クレジットデータを減らす処理が行われるときにも、上記と同様にメダル投入を促す。
【００３８】
一方、図６に示したメインメニュー画面でプレイヤーが同時プレイゲームを選択した場合の処理や制御については後述する。
【００３９】
以上のようにしてゲームが開始されると、制御装置１１は、図８に示すようなゲーム画面をディスプレイ２に表示させる。尚、ゲーム画面は、対戦ゲームでも後述する同時プレイゲームでもほぼ同様であり、そのゲームの進み方も同様であるので、以下、対戦ゲームを例に挙げて説明し、同時プレイゲームについては対戦ゲームと異なる点のみ後で説明する。
【００４０】
図８に示すゲーム画面には、仮想ゲーム空間である城内フィールドを所定の視点から見た視界を表現した城画面が表示されている。また、その城画面の上部には、城のフロアー数、主人公キャラクタの体力及びプレイヤーのクレジットデータの量を示すクレジット数が表示されており、城画面の右下部分には、主人公キャラクタの所有するカードの一覧（プレイヤーがゲーム進行中に使用可能なカードの一覧）が表示されている。上記城画面は、城のフロアーを上方から見たものであり、その城画面中には、画面中央に主人公キャラクタが表示され、その主人公キャラクタの左下と画面左上にそれぞれ敵モンスターが表示されている。
【００４１】
プレイヤーは、操作レバー４及び操作ボタン５ａ，５ｂ，５ｃを操作して、主人公キャラクタを移動させたり、敵モンスターに攻撃したり、所有するアイテムカードや魔法カードを使用したりする行動指示を行うことができる。本実施形態では、上述したようにターン制を採用しており、ターンごとに１つの動作を指示することができる。したがって、例えば、主人公キャラクタを１マス移動させるのに１ターンを必要とし、また、主人公キャラクタが敵モンスターを１回攻撃するのに１ターンを必要とし、また、主人公キャラクタが１枚のカードを使用するのに１ターンを必要とする。なお、プレイヤーがターンを消費するゲーム操作を行わない限り、ターンは進まない。一方、ターンを進ませると、敵モンスターも主人公キャラクタと同様に移動したり主人公キャラクタに攻撃したりするなどして、ゲーム状況が変化する。敵モンスターから攻撃を受けると主人公キャラクタの体力が減り、主人公キャラクタの体力が０になるとゲームオーバーとなる。
【００４２】
主人公キャラクタが所有するアイテムカードや魔法カードを使用する場合、プレイヤーは、操作ボタン５ｃを押す。この操作を受け付けた制御装置１１は、図９に示すカード選択画面をディスプレイ２に表示させる。このカード選択画面では、画面右下にあるカード一覧にカーソルが出現する。また、このカード選択画面には、カーソルで選択されているカードの内容を示すカード内容画面が画面左側部分に表示される。このカード内容画面には、そのカードを使用したときの効果（ゲーム状況がどのように変更されるか）と、そのカードを使用するのに必要なメダル枚数（カード使用費用）が表示されている。プレイヤーは、操作レバー４でカーソルを移動させ、使用を希望するカードを選択した後、操作ボタン５ａを押す。このボタン操作（特別な操作）を受け付けた制御装置１１は、所定のポイント消費条件が満たされたと判断し、ＲＡＭ１３に記憶されているクレジットデータを、選択したカードのカード使用費用に相当する分だけ減少するように変動させるクレジット変動処理（プレイヤーポイント減算処理）を実行する（Ｓ８）。
【００４３】
具体的に説明すると、ゲームユニット１のＲＡＭ１３には、ゲーム状況変更要素である各種カードデータのうち、主人公キャラクタが使用可能な状態のカードデータを記憶する使用可能要素記憶手段としての使用可能データ領域と、主人公キャラクタが使用不可能な状態のカードデータを記憶する使用不可能要素記憶手段としての使用不可能データ領域とを有するカードデータベースが格納されている。このカードデータベースに記憶された各カードデータは、カード名データに関連付けられた各種データを有している。主人公キャラクタが使用可能なカードデータには、制御装置１１が実行するカード使用プログラムによる読み出しを可能にする読出許可符号が付加されており、その読出許可符号が付加されたカードデータが記憶されている使用可能データ領域が使用可能要素記憶手段として機能する。一方、その読出許可符号が付加されていないカードデータが記憶されている使用不可能データ領域が使用不可能要素記憶手段として機能する。なお、図８のゲーム画面又は図９のカード選択画面に表示されているカードは、使用可能データ領域に記憶されている使用可能要素としてのカードデータに対応したものである。
【００４４】
制御装置１１は、図９に示したカード選択画面で、主人公キャラクタにカードを使用する行動を指示するための操作を受け付けると、その指示に基づくカード名を認識する。そして、制御装置１１は、ＲＡＭ１３に記憶されているクレジットデータがカード使用費用データ以上あるときに使用決定手段として機能し、そのカード名データに対応するカードデータの使用を決定する。その後、制御装置１１は、ゲーム状況変更手段として機能し、カードデータベースから当該カード名データに対応するカード効果データを読み出して、そのカード効果データに基づいてゲーム状況を変更する。例えば、使用したカードが敵モンスターに攻撃する魔法カードである場合、制御装置１１は、そのカード効果データに含まれるダメージ計算用数値を敵モンスターへのダメージ計算に使用して、その算出結果に基づいて敵モンスターの体力データを減少させる処理を行う。
また、カードデータの使用を決定した制御装置１１は、上記カードデータベースからカード名データを選択し、このカード名データに対応したカード使用費用データを読み出す。そして、制御装置１１は、この読み出したカード使用費用データに相当するクレジットデータを、ＲＡＭ１３に記憶されたクレジットデータから減じる処理を行う。
【００４５】
また、城内には、主人公キャラクタが入手可能な魔法カードやアイテムカードが落ちている。プレイヤーが主人公キャラクタの動きを操作して主人公キャラクタを移動させ、主人公キャラクタに魔法カードやアイテムカードを拾わせると、そのカードを入手することができる。
【００４６】
また、城内には、カードを売却したり購入したりすることができる図１０（ａ）に示すショップが用意されている。プレイヤーが主人公キャラクタの動きを操作して主人公キャラクタを移動させ、主人公キャラクタをショップに入場させた場合、その主人公キャラクタが所有するカードを売却してクレジットに変えたり、そのショップで販売されているカードをクレジットを支払って購入したりすることができる。
【００４７】
上記ショップでカードを購入する場合、プレイヤーは、図１０（ａ）に示すショップ画面において操作レバー４を操作して、カーソルを「カードを買う」ボタンに合わせ、操作ボタン５ａを押す。この操作を受け付けた制御装置１１は、図１０（ｂ）に示す購入カード選択画面をディスプレイ２に表示させる。この購入カード選択画面では、画面上方部分に、そのショップで売っているカードのカード一覧画面が表示され、画面左下に、カーソルで選択されているカードの内容を示すカード内容画面が表示される。カード一覧画面には、カードを購入するために必要なメダル枚数（カード購入費用）が表示されている。プレイヤーは、操作レバー４でカーソルを移動させ、購入を希望する魔法カードを選択した後、操作ボタン５ａを押す。このボタン操作（特別な操作）が制御装置１１で受け付けられると、制御装置１１は、所定のポイント消費条件が満たされたと判断し、ＲＡＭ１３に記憶されているクレジットデータを、そのカードのカード購入費用に相当する分だけ減少するように変動させるクレジット変動処理（プレイヤーポイント減算処理）を実行する（Ｓ８）。
【００４８】
具体的に説明すると、上記カードデータベースには、カード名データに関連付けられたカード購入費用データも記憶されている。制御装置１１は、図１０（ｂ）に示した購入カード選択画面で、購入するカードを選択する操作を受け付けると、そのカードのカード名データを認識する。そして、制御装置１１は、ＲＡＭ１３に記憶されているクレジットデータがカード購入費用データ以上であるとき、カードデータベースの使用不可能データ領域にある当該カードデータを使用可能状態にするために、当該カード名データに対応するカードデータに使用許可符号を付加する。これにより、そのカードデータは、カードデータベースの使用可能データ領域に記憶されることになり、プレイヤーによる指示操作によって主人公キャラクタが使用可能となる。また、制御装置１１により使用不可能データ領域にあるカードデータの使用が許可されることにより、制御装置１１は、上記カードデータベースから当該カード名データを選択し、このカード名データに対応したカード購入費用データを読み出す。そして、制御装置１１は、この読み出したカード購入費用データに相当するクレジットデータを、ＲＡＭ１３に記憶されたクレジットデータから減じる処理を行う。
【００４９】
一方、上記ショップにおいて、主人公が所有するカードを売却する場合、プレイヤーは、図１０（ａ）に示すショップ画面において、操作レバー４を操作し、カーソルを「カードを売る」ボタンに合わせ、操作ボタン５ａを押す。この操作を受け付けた制御装置１１は、図１０（ｃ）に示す売却カード選択画面をディスプレイ２に表示させる。この売却カード選択画面では、画面右下にあるカード一覧にカーソルが出現し、カーソルで選択されているカードの内容を示すカード内容画面が画面左側部分に表示される。また、この売却カード選択画面の画面上方部分には、選択されたカードと交換されるメダル枚数（カード売却収入）を表示した引取価格画面が表示される。プレイヤーは、操作レバー４でカーソルを移動させ、主人公が所持するカードの中から売却するカードを選択した後、操作ボタン５ａを押す。このボタン操作を受け付けた制御装置１１は、ＲＡＭ１３に記憶されているクレジットデータを、そのカードのカード売却収入に相当する分だけ増加するように変動させるクレジット変動処理を実行する（Ｓ８）。
【００５０】
具体的に説明すると、上記カードデータベースには、カード名データに関連付けられたカード売却収入データも記憶されている。制御装置１１は、図１０（ｂ）に示した売却カード選択画面で、売却するカードを選択する操作を受け付けると、そのカードのカード名データを認識する。そして、制御装置１１は、そのカードがショップで売却可能なものであるとき、カードデータベースの使用可能データ領域にある当該カードデータの使用不可状態にするために、そのカード名データに対応するカードデータから使用許可符号を削除する。これにより、そのカードデータは法カードデータベースの使用不可能データ領域に記憶されることになり、プレイヤーは、そのカードデータを使用できなくなる。また、使用可能データ領域にあるカードデータが使用不可状態になると、制御装置１１は、上記カードデータベースからカード名データを選択し、このカード名データに対応したカード売却収入データを読み出す。そして、制御装置１１は、この読み出したカード売却収入データに相当するクレジットデータを、ＲＡＭ１３に記憶されたクレジットデータに足す。
【００５１】
また、城内に存在する敵モンスターの中には、倒すとクレジットが増加する宝石モンスターが存在する。この宝石モンスターの行動は、行動決定プログラムを実行する制御装置１１により制御されている。プレイヤーの指示に従って動作する主人公キャラクタが宝石モンスターを倒した場合、制御装置１１は、ＲＡＭ１３に記憶されているクレジットデータを、その宝石モンスターの種類に応じたメダル枚数である宝石獲得額に相当する分だけ増加するように変動させるクレジット変動処理を実行する（Ｓ８）。
【００５２】
以上のようにして、プレイヤーが主人公キャラクタの行動を指示するなどの各種ゲーム操作を行うことにより主人公キャラクタが城内を進んで城内の所定の場所（例えば玉座）に到達することにより城の占領に成功すると、所定の演出の後、ディスプレイ２には、再び図８に示した城選択画面が表示される。よって、プレイヤーは、この城選択画面において、次に挑戦する城を選択することで、同じ城又は別の城に挑戦することができる。
【００５３】
プレイヤーは、ゲームプレイを終了しようとする場合には、図２に示した保存終了ボタン５ｅを押す。このボタン操作を受け付けた制御装置１１は、ディスプレイ２に表示されている画像の上に重なるようにして、図１１に示すゲーム終了選択画面を表示させる（Ｓ９）。このゲーム終了選択画面には、「ゲームを終了しますか？」というコメントの下に「はい」ボタンと「いいえ」ボタンが表示されている。プレイヤーは、ゲームを終了させない場合には、操作レバー４でカーソルを「いいえ」ボタンに合わせて、操作ボタン５ａを押す。これにより、ゲーム終了選択画面が消えて、直前の画面からゲームが再開される。一方、プレイヤーは、ゲームプレイを終了する場合、操作レバー４でカーソルを「はい」ボタンに合わせて、操作ボタン５ａを押す。このボタン操作を受け付けた制御装置１１は、ＲＡＭ１３に記憶されているクレジットデータやセーブデータ及びプレイヤーＩＤを含むデータセーブ要求を、施設管理装置２０を経由してシステム管理装置３０へ送信する。これを受信したシステム管理装置３０の制御装置３１は、受信したデータを、ＲＡＭ３３に記憶されている当該プレイヤーＩＤに対応するプレイヤー情報として保存する。その後、システム管理装置３０の制御装置３１は、ゲームユニット１に保存が完了した旨のセーブ完了データを送信する。これを受信したゲームユニット１の制御装置１１は、カードライタ１７により磁気カード９にクレジットデータやセーブデータ等を書き込み、その磁気カード９をカード挿入取出口８から排出する（Ｓ１０）。
【００５４】
なお、プレイヤーは、ＲＡＭ１３に記憶された電子データの状態であるゲーム媒体であるクレジットデータを有体物状態のゲーム媒体であるメダルに換算してメダルの払い戻しを受けることもできる。この場合、図２に示したペイアウトボタン５ｄを押す。このボタン操作を受け付けた制御装置１１は、メダル排出ホッパ１６を制御して、ＲＡＭ１３に記憶されているクレジットデータに相当する枚数のメダルを、メダル払い戻しロ７から排出するクレジット払い戻し処理を行う。
【００５５】
次に、本発明の特徴部分である、同時プレイゲームの処理について説明する。
本実施形態の同時プレイモードでは、各ゲームユニット１のゲーム画面上に、同じマップをもったそれぞれの城（仮想ゲーム空間）に存在する別プレイヤーキャラクタの位置（別プレイヤーキャラクタが存在する城内の位置）と同一の位置（自分の主人公キャラクタが存在する城内の位置）に、その別プレイヤーキャラクタの画像（別キャラクタ位置表示画像）が表示される。ただし、同時プレイモードの場合でも、各ゲームユニット１では、ターン進行がそれぞれ独立したターン制ゲームが実行される。そして、各プレイヤーは、別プレイヤーよりも先に、城内のゴール（チェックポイント）に到達して城占領の証となる宝石（クリアの証）を取得することを競い合う。すなわち、本実施形態の同時プレイゲームは、ターン進行がそれぞれ独立した各プレイヤーのターン制ゲームを同時にスタートし、互いに同じマップに設定された城内を進んで別プレイヤーよりも先に同一のゴールを目指すという同時プレイ型のゲームである。
【００５６】
図１２は、本実施形態における同時プレイゲームを開始する前の段階で行われる同時プレイゲームの申し込み処理の流れを示すシーケンスフロー図である。
本実施形態の同時プレイゲームは、同時に４人のプレイヤーが参加可能であり、４人のプレイヤーの参加申し込みがあることでプレイ可能となる。同時プレイゲームの申し込み処理では、まず、プレイヤーは、上述したように自分の磁気カード９をゲームユニット１のカード挿入取出口８に挿入する。これにより、そのゲームユニット１のカードリーダ１８が当該磁気カード９に記録されたプレイヤーＩＤを読み取る。制御装置１１は、読み取ったプレイヤーＩＤのＩＤ番号を、施設管理装置２０を経由してシステム管理装置３０に対して送信する。このとき、プレイヤーＩＤのＩＤ番号とともに、当該ゲームユニット１のユニットＩＤも一緒に送信する。これらのＩＤを受信したシステム管理装置３０の制御装置３１は、当該プレイヤーＩＤに対応するプレイヤー情報がＲＡＭ３３に記憶されていることを確認するＩＤ認証処理を行い、この処理で確認できたら、ＲＡＭ３３に記憶されている同時プレイゲームの参加申込者のデータベース（同時プレイデータベース）に、当該プレイヤーＩＤ及びユニットＩＤを登録する。
【００５７】
一方で、システム管理装置３０の制御装置３１は、同時プレイデータベース内に登録されたプレイヤーＩＤの数を見て、規定人数（４人）に達したかどうかを判断する。なお、ここでは、単純に同時プレイデータベース内に登録されたプレイヤーＩＤの数が規定人数分であるかどうかで、同時プレイゲームが開始可能かどうかを判断する場合について説明するが、他の条件を付加してもよい。例えば、全プレイヤーを、その総プレイ時間、その主人公キャラクタの職業などに応じてランク分けし、同じランク同士のプレイヤーの数が規定人数に達したかどうかを判断するようにしてもよい。
【００５８】
上記判断において規定人数に達していないと判断した場合、システム管理装置３０の制御装置３１は、同時プレイ申し込みの送信元であるゲームユニット１に対して、申し込み待機通知を送信する。この申し込み待機通知を受けたゲームユニット１では、後述する同時プレイゲーム開始通知まで通常モードでの動作が可能である。したがって、プレイヤーは、図６に示すメインメニュー画面で対戦ゲームを選択することで、同時プレイゲームの開始まで対戦ゲームをプレイして待つことができる。
【００５９】
一方、上記判断において規定人数に達したと判断した場合、システム管理装置３０の制御装置３１は、同時プレイデータベースに登録されている各ユニットＩＤにより特定されるゲームユニット１それぞれに、同時プレイゲーム開催通知を送信する。この同時プレイゲーム開催通知を受けたゲームユニット１の制御装置１１は、ディスプレイ２に、同時プレイゲーム開始通知を受けた旨を表示するとともに、同時プレイゲームのプレイを了承するかどうかを問い合わせるメッセージ画面を表示する。このメッセージ画面を見た各プレイヤーが了承する旨の操作を行うと、そのゲームユニット１からプレイ了承通知が施設管理装置２０を経由してシステム管理装置３０に対して送信される。このとき、プレイヤーＩＤのＩＤ番号とともに、当該ゲームユニット１のユニットＩＤも一緒に送信する。そして、システム管理装置３０の制御装置３１は、すべてのゲームユニット１からプレイ了承通知を受信したら、そのプレイ了承通知とともに受信した各ユニットＩＤにより特定される各ゲームユニット１（参加ゲームユニット１）に対し、初期設定情報を送信する。
【００６０】
初期設定情報には、各参加ゲームユニット１の制御装置１１がお互いに情報通信を行いながら同時プレイゲームを進行するために必要な各種情報が含まれている。具体的には、全参加ゲームユニット１間で情報通信を行うために必要な各参加ゲームユニット１の通信設定情報（ＩＰアドレス等）、全参加ゲームユニット１の制御装置１１に同じマップを持った城を生成させるための抽選結果情報としての乱数値情報、全参加プレイヤーの主人公キャラクタの情報（キャラクタ情報）などが含まれている。なお、システム管理装置３０が各参加ゲームユニット１間の通信を管理する場合には、通信設定情報は必要ない場合がある。また、全参加ゲームユニット１に送信される乱数値情報は、システム管理装置３０の制御装置３１が所定の抽選処理を行って生成する。具体的には、所定の乱数生成プログラムを実行して１つの乱数値を生成するという抽選処理を行う。なお、他の方法としては、参加ゲームユニット１のいずれか１つの制御装置１１に乱数発生プログラムを実行させて通常モード時と同様に乱数を発生させ、その乱数値を用いてもよい。また、キャラクタ情報については、システム管理装置３０のＲＡＭ３３に記憶されている各プレイヤーＩＤに対応したプレイヤー情報の中から必要なキャラクタ情報のみを送信する。本実施形態では、各主人公キャラクタの職業の情報のみ送信するが、他のキャラクタ情報を送信するようにしてもよい。
【００６１】
このような初期設定情報を受信した各参加ゲームユニット１の制御装置１１は、通常モード時と同じマップ情報生成プログラムを実行し、受信した初期設定情報中の乱数値情報が示す乱数をマップ情報生成プログラムに入力して、城マップ情報を生成する。また、各参加ゲームユニット１の制御装置１１は、通常モード時と同じモンスター等決定プログラムを実行し、そのプログラムに当該乱数を入力して、城内に配置される敵モンスターやカードの種類、数及び位置を決定する。これにより、全参加ゲームユニット１では、同じマップをもち、城内に配置される敵モンスターやカードの種類、数及び位置が同じ状態の城（仮想ゲーム空間）が生成されることになる。なお、マップ情報生成プログラムに入力する乱数と、モンスター等決定プログラムに入力する乱数は、別々に生成したものであってもよいし、同じものであってもよい。
【００６２】
以上のような同時プレイゲームの申し込み処理を行うことで、全参加ゲームユニット１のディスプレイ２には、同じマップをもち、かつ、配置される敵モンスターやカードの種類、数及び位置が同じ状態であるそれぞれの城（仮想ゲーム空間）のゲーム画面が表示され、全参加ゲームユニット１で互いに同期をとって同時期に同時プレイゲームを開始する。
なお、上述した対戦ゲームと同様に、そのゲーム中にアイテムカードや魔法カードを使用する場合にカード使用費用データに相当するクレジットデータを消費させるようにしてもよいが、同時プレイゲームに参加する各プレイヤーをなるべく同じ条件でプレイしてもらうために、同時プレイゲーム中ではクレジットデータを消費しないようにしてもよい。この場合でも、各プレイヤーのクレジットデータは、同時プレイゲームの開始前に参加費用として消費させる。
【００６３】
図１３は、各参加ゲームユニット１のディスプレイ２に表示される同時プレイゲーム中のゲーム画面を示す説明図である。
図中符号Ｓは、図示のゲーム画面が表示されている参加ゲームユニット１でプレイしているプレイヤーの主人公キャラクタを示しており、図中符号Ｂ１〜Ｂ３は、同時プレイゲームに参加している別プレイヤーの主人公キャラクタ（別プレイヤーキャラクタ）の画像（別キャラクタ位置表示画像）を示している。本実施形態では、このように、ゲーム画面上に、別プレイヤーキャラクタの画像も表示される。しかも、各別プレイヤーキャラクタの画像が表示される位置は、この時点（実時間）で各別プレイヤーキャラクタがそれぞれの参加ゲームユニット１での城内に位置している現在位置である。なお、ここでいう「現在位置」とは、厳密な意味での現在位置ではなく通信遅延等の許容範囲の遅れを含む概念であり、厳密には、この遅れ分だけ前の時間に各別プレイヤーキャラクタが位置していた位置である。
【００６４】
なお、本実施形態では、別プレイヤーキャラクタの位置を示す別キャラクタ位置表示画像として当該別プレイヤーキャラクタの画像を用いているが、他の画像であってもよい。例えば、当該別プレイヤーキャラクタの画像を半透明に表示するなどして、主人公キャラクタとの区別が容易になるようにしてもよい。また、当該別プレイヤーキャラクタの画像とは全く異なる画像、例えば文字や記号などを示す画像を用いてもよい。
【００６５】
ここで、本実施形態では、別プレイヤーキャラクタの画像を、当該別プレイヤーキャラクタの現在位置（当該別プレイヤーがプレイしているゲームユニット１の城内での現在位置。以下同様。）と同一の位置に表示するために、各プレイヤーの主人公キャラクタの位置を示す位置情報を互いに定期通信して同期を取るようにしている。具体的には、一定時間間隔（例えば１秒間隔）で、各参加ゲームユニット１は、それぞれの主人公キャラクタの位置情報を他の参加ゲームユニット１へ一斉送信するようにしている。これにより、各参加ゲームユニット１は、他の参加ゲームユニット１から送信されてくる位置情報（別キャラクタ位置情報）を上記一定時間間隔で定期的に繰り返し受信することになる。各参加ゲームユニット１の制御装置１１は、位置情報を受信すると、ＲＡＭ１３内の別キャラクタ位置情報を更新するとともに、対応する別プレイヤーキャラクタ画像のゲーム画面上の表示位置を、更新後の別キャラクタ位置情報が示す位置に更新する処理を行う。これにより、他の参加ゲームユニット１で別プレイヤーの操作に応じてその主人公キャラクタが移動したとき、各参加ゲームユニット１のディスプレイ２に表示されるゲーム画面上でも、これに対応する別プレイヤーキャラクタの画像が同じように移動して、その移動が再現される。
【００６６】
ここで、本実施形態では、プレイヤー操作により１秒の間にその主人公キャラクタを５〜６マス程度は移動させることが可能である。よって、個々の位置情報の定期送信間隔を１秒間隔に設定すると、別プレイヤーキャラクタの画像がいきなり５〜６マス瞬間移動したかのような映像がゲーム画面上に再現され、プレイヤーに違和感を覚えさせてしまうという不具合が生じ得る。一方で、例えば、個々の位置情報の定期送信間隔を例えば０．２５秒間隔程度まで短くすれば、このような不具合を軽減できる。しかし、この場合、位置情報の通信頻度が増大するため、各参加ゲームユニット１の制御装置１１における位置情報の処理負荷や、各参加ゲームユニット１間の通信負荷が増大してしまう。
【００６７】
そこで、本実施形態では、位置情報の定期送信間隔それ自体は１秒間隔程度に設定したまま、１回の送信時に送信する位置情報の数を２以上、具体的には４個としている。すなわち、１回の送信時に送信される４個の位置情報は、前回の送信時から今回の送信時までの期間（１秒）を４分割したときの各分割期間中にその主人公キャラクタが存在していた位置を示す位置情報である。そして、各ゲームユニット１では、当該別プレイヤーキャラクタ画像のゲーム画面上の表示位置を、受信した４個の位置情報が示す各位置に、正しい時系列に沿って順次更新する処理を行う。これにより、別プレイヤーキャラクタの画像がいきなり５〜６マス瞬間移動したかのような映像がゲーム画面上に再現されるようなことがなくなり、別プレイヤーキャラクタ画像の移動を滑らかに再現できる。しかも、個々の位置情報の定期送信間隔を短くする場合に比べて、上述した処理負荷や通信負荷は軽減される。
【００６８】
なお、別プレイヤーキャラクタ画像の移動を滑らかに再現する方法としては、次のような方法を採用してもよい。
すなわち、位置情報を受信する参加ゲームユニット１側で、更新前後における別キャラクタ位置表示画像の表示位置の間に新たな表示位置を補完する処理を行い、更新前の別ャラクタ位置表示画像の表示位置を、補完した表示位置を経由して更新後の表示位置に更新するように表示処理を行う方法である。補完する表示位置やその数は、適宜設定される。補完する表示位置を３つに設定した場合、例えば、当該別プレイヤーキャラクタが最短距離を移動したものと仮定し、その最短移動経路を４分割し、各分割点の位置を補完するようにする。
このような補完を行うことにより、個々の位置情報の定期送信間隔が長くても、別プレイヤーキャラクタ画像の移動を滑らかに再現できる。
また、位置情報の通信において通信遅延やパケットロスなどの通信障害が生じた場合、上述した本実施形態による通信方法（１回の送信で２以上の位置情報を送信する方法）であっても、別プレイヤーキャラクタ画像の移動を滑らかに再現できない。この場合でも、上述した補完処理を行うことで、別プレイヤーキャラクタ画像の移動を滑らかに再現することができる。
【００６９】
また、本実施形態の同時プレイゲームにおいては、別プレイヤーキャラクタに対して影響を及ぼす行動が用意されており、プレイヤーの操作により当該行動が選択されると、別プレイヤーキャラクタのキャラクタ情報を変化させることができる。具体的には、対戦ゲームでは敵モンスターへの攻撃などに利用可能であったアイテムカードや魔法カードを、別プレイヤーキャラクタに対して使用することが可能である。例えば、プレイヤーは、対戦ゲームでは敵モンスターの攻撃力を弱めるために用いる魔法カードを、別プレイヤーキャラクタに対して使用する場合、まず、使用する魔法カードを選択した後、その使用対象を別プレイヤーキャラクタとする操作を行う。すると、図１４に示すように、同時プレイゲームに参加している自分を含めた全プレイヤーのリストが表示される。そして、例えば、自分以外の全プレイヤーに対して魔法カードを使用することを指示する操作を行うと、その参加ゲームユニット１の制御装置１１は、図１５に示すように、別プレイヤーキャラクタに魔法カードを使用したことを示す演出処理を行う。また、その参加ゲームユニット１の制御装置１１は、他の参加ゲームユニット１に対して、その魔法カードを全プレイヤーに使用したという行動を特定するための行動特定情報を送信する。この行動特定情報を受信した参加ゲームユニット１の制御装置１１は、ＲＡＭ１３内における当該参加ゲームユニットでプレイするプレイヤーの主人公キャラクタのキャラクタ情報を、その行動特定情報に従って変更する処理を行う。ここでは、その主人公キャラクタのキャラクタ情報の一部である攻撃力を下げる処理を行う。これにより、魔法カードが使用された別プレイヤーは、その主人公キャラクタで敵モンスターを倒すことが難しくなり、ゴールを目指すことが難しくなる結果、魔法カードを使用したプレイヤーは先にゴールに到達できる可能性が高まる。なお、このような魔法カードの使用以外にも、例えば、城内の所望の位置に画面には表示されない罠を仕掛けるという行動をプレイヤーが指示した場合、その罠の位置（罠を仕掛けたプレイヤーのゲームユニットにおける城内の位置）と同一位置（別プレイヤーのゲームユニットにおける城内の位置）を別プレイヤーキャラクタが通過すると、その罠に応じてその別プレイヤーキャラクタのキャラクタ情報を変更するということも可能である。
【００７０】
以上のように、本実施形態の同時プレイゲームにおいては、システム管理装置３０の制御装置３１による抽選（乱数生成処理）で得られた各参加ゲームユニットで共通の乱数値（抽選結果）に対応したマップ情報が各参加ゲームユニット１で生成される。よって、各参加ゲームユニット１では、同じマップを持った仮想ゲーム空間を用いて同時プレイゲームが進行される。しかも、この同時プレイ型のゲームで用いるマップ情報は、システム管理装置３０で生成した乱数値（抽選結果）に対応したものであるため、ランダムに生成されるものである。よって、この同時プレイゲームを繰り返しプレイするプレイヤーに対して飽きを感じさせることを少なくできる。
しかも、本実施形態では、各参加ゲームユニット１で同じマップをもった城（仮想ゲーム空間）を生成するために通信する情報は、乱数値情報であるため、その情報量は例えばマップ情報それ自体を通信する場合よりも極めて少なくて済む。よって、通信負荷の増大を大幅抑制でき、ランダム生成されるマップ情報を用いた同時プレイゲームの実現が容易となる。
特に、本実施形態では、通常モードで用いるマップ情報の生成アルゴリズム（マップ情報生成プログラム）をそのまま利用して、同時プレイモードで用いるマップ情報を生成することができる。よって、既存の資源を有効活用でき、ランダム生成されるマップ情報を用いた同時プレイゲームの実現が更に容易である。
なお、本実施形態では、各参加ゲームユニット１で同じマップをもった城（仮想ゲーム空間）を生成するための元情報が、抽選結果情報である乱数値情報である場合について説明したが、このような抽選結果情報ではなくても、城マップ情報を生成するための元になる情報であって、城マップ情報そのものよりも少ない情報量のものであれば、通信負荷の増大を大幅抑制できる。よって、例えば、参加ゲームユニット１でプレイする一のプレイヤーの選択によって決定された城マップ情報と同じ城マップ情報を、他の参加ゲームユニットでも生成できるように、その城マップ情報を生成するために必要な元情報、例えば他の参加ゲームユニットでその城マップ情報を生成する際に使用される乱数値情報と同じ値を持つ数値情報を、当該他の参加ゲームユニットへ送信するようにしてもよい。この場合も、参加ゲームユニット１でプレイする一のプレイヤーが選択した城マップ情報に基づく同じマップを持った城で別プレイヤーと同時プレイゲームを行うことができる。
【００７１】
また、本実施形態の同時プレイゲームでは、城のマップだけでなく、城内に配置される敵モンスターやカードの種類、数及び位置も、各参加ゲームユニットで同じ状態になる場合について説明したが、城内に配置される敵モンスターやカードの種類、数及び位置の少なくとも１つについては、各参加ゲームユニットで生成した乱数値を用いて決定するようにするなどして、参加ゲームユニットごとに異なる状態にあるようにしてもよい。
【００７２】
なお、上述した実施形態においては、ゲーム装置がメダルゲーム機である場合について説明したが、メダルゲーム機以外の業務用ゲーム機でもよいし、業務用ゲーム機ではない家庭用ゲーム機（ゲームプログラムを実行するパーソナルコンピュータを含む。）であってもよい。
また、上述した実施形態では、プレイヤーが主人公キャラクタの行動を指示する操作を行うことでその主人公キャラクタが城の占領を目指すロールプレイングゲームを行うゲーム装置について説明したが、本発明は、マップ情報によりプレイヤーの操作対象キャラクタの移動エリアが規制されるような仮想ゲーム空間内をプレイヤーの操作対象キャラクタが移動し得るターン制ゲームであれば、種々のゲームに適用することができる。
また、上述した実施形態における同時プレイゲームは、複数のプレイヤーがそれぞれ操作する主人公キャラクタを互いに同一のマップを持った個別の城（仮想ゲーム空間）にそれぞれ存在させてゲームが進行するというものであったが、複数のプレイヤーがそれぞれ操作する主人公キャラクタを単一の城（仮想ゲーム空間）内に同時に存在させてゲームが進行するというものであっても同様である。ただし、この場合、上述したターン制を採用すると、別プレイヤーに依存して自分のターンが回ってくるまで待たされるという事態が生じてしまうので、ターン制を採用しない方がよい場合もある。
【図面の簡単な説明】
【００７３】
【図１】実施形態に係るゲームシステム全体の概略構成図である。
【図２】同ゲームシステムを構成するゲームユニットの外観図である。
【図３】ゲームシステムの制御系の主要構成を示すブロック図である。
【図４】ゲーム実行プログラムを実行する制御装置により進行が制御されるゲームの流れを示すフローチャートである。
【図５】（ａ）は同ゲームユニットのディスプレイに表示される名前入力画面の説明図であり、（ｂ）は同ゲームユニットのディスプレイに表示される名前確認画面の説明図であり、（ｃ）は同ゲームユニットのディスプレイに表示される職業選択画面の説明図である。
【図６】同ゲームユニットのディスプレイに表示されるメインメニュー画面の説明図である。
【図７】同ゲームユニットのディスプレイに表示される城選択画面の説明図である。
【図８】同ゲームユニットのディスプレイに表示されるゲーム画面の説明図である。
【図９】同ゲームユニットのディスプレイに表示されるカード選択画面の説明図である。
【図１０】（ａ）は同ゲームユニットのディスプレイに表示されるショップ画面の説明図であり、（ｂ）は同ショップ画面で購入できるカードの一覧が表示されたカード選択画面の説明図であり、（ｃ）は同ショップ画面で売ることができるカードの一覧が表示されたカード選択画面の説明図である。
【図１１】同ゲームユニットのディスプレイに表示されるゲーム終了選択画面の説明図である。
【図１２】同ゲームシステムにおいて同時プレイゲームを開始する前の段階で行われる同時プレイゲームの申し込み処理の流れを示すシーケンスフロー図である。
【図１３】同時プレイゲームに参加するゲームユニットのディスプレイに表示される同時プレイゲーム中のゲーム画面を示す説明図である。
【図１４】同時プレイゲームに参加している別プレイヤーのリストを表示した画面の説明図である。
【図１５】同時プレイゲームにおいて別プレイヤーに対して魔法カードを使用したときの演出内容を示す説明図である。
【符号の説明】
【００７４】
１  ゲームユニット
２  ディスプレイ
４  操作レバー
５ａ，５ｂ，５ｃ  操作ボタン
５ｄ  ペイアウトボタン
５ｅ  保存終了ボタン
６  メダル投入口
７  メダル払い戻し口
８  カード挿入取出口
９  磁気カード
１１，２１，３１  制御装置
２０  施設管理装置
３０  システム管理装置
【図１】
2010017258.tif 000003
【図２】
2010017258.tif 000004
【図３】
2010017258.tif 000005
【図４】
2010017258.tif 000006
【図１２】
2010017258.tif 000007
【図５】
2010017258.tif 000008
【図６】
2010017258.tif 000009
【図７】
2010017258.tif 000010
【図８】
2010017258.tif 000011
【図９】
2010017258.tif 000012
【図１０】
2010017258.tif 000013
【図１１】
2010017258.tif 000014
【図１３】
2010017258.tif 000015
【図１４】
2010017258.tif 000016
【図１５】
2010017258.tif 000017
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
抽選装置と複数のゲーム装置とを含み、通信ネットワークを介して互いに情報通信可能に接続したゲームシステムであって、
各ゲーム装置は、
上記抽選装置による抽選で得られた各ゲーム装置で共通の抽選結果を示す抽選結果情報を取得する情報取得手段と、
該情報取得手段が取得した抽選結果情報が示す抽選結果に対応するマップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
ゲーム画面を表示するゲーム画面表示手段と、
該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを、それぞれ備えており、
各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするゲームシステム。
【請求項２】
請求項１のゲームシステムにおいて、
各ゲーム装置は、各ゲーム装置のマップ情報生成手段が上記抽選結果情報を用いてマップ情報を生成する場合に、該抽選結果情報が示す抽選結果に基づいて上記仮想ゲーム空間内に存在させるゲーム要素の種類、数及び位置の少なくとも１つを決定する決定処理を行うゲーム要素決定処理手段を有し、
各ゲーム装置の仮想ゲーム空間生成手段は、上記ゲーム進行制御手段が上記進行制御を行うゲームについては、上記マップ情報のほか、該ゲーム要素決定処理手段による決定結果を用いて、上記仮想ゲーム空間を生成することを特徴とするゲームシステム。
【請求項３】
請求項１又は２のゲームシステムにおいて、
各ゲーム装置は、抽選手段をそれぞれ備えており、
各ゲーム装置のゲーム進行制御手段は、上記進行制御を行う第１制御モードと、上記通信手段で別キャラクタ位置情報を取得せず、かつ、上記別キャラクタ位置表示画像をゲーム画面上に表示させることもなく、上記ゲームの進行制御する第２制御モードとで、選択的に動作し得るものであり、
各ゲーム装置のマップ情報生成手段は、各ゲーム装置のゲーム進行制御手段が上記第２制御モードで動作する場合には、自己のゲーム装置の抽選手段が他のゲーム装置の抽選手段による抽選とは独立して行った抽選の結果に対応するマップ情報を生成することを特徴とするゲームシステム。
【請求項４】
複数のゲーム装置を通信ネットワークを介して互いに情報通信可能に接続したゲームシステムであって、
各ゲーム装置は、
各ゲーム装置で同じマップ情報を生成するための元情報を、自らのゲーム装置内で生成して取得するか又は他のゲーム装置若しくは上記複数のゲーム装置以外の外部装置で生成されたものを受信することで取得する情報取得手段と、
取得した元情報に対応するマップ情報を生成するマップ情報生成手段と、
プレイヤーの操作対象キャラクタが存在する仮想ゲーム空間を生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
ゲーム画面を表示するゲーム画面表示手段と、
該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを、それぞれ備えており、
各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするゲームシステム。
【請求項５】
所定の抽選結果に対応するマップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
ゲーム画面を表示するゲーム画面表示手段と、
該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを備えたゲーム装置であって、
外部の抽選装置による抽選で得られた抽選結果を示す抽選結果情報を取得する情報取得手段を有し、
上記マップ情報生成手段は、該情報取得手段が取得した抽選結果情報が示す抽選結果に対応するマップ情報を生成するものであり、
上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするゲーム装置。
【請求項６】
マップ情報を生成するマップ情報生成手段と、
プレイヤーの操作対象キャラクタが存在する仮想ゲーム空間を該マップ情報生成手段が生成したマップ情報に基づいて生成する仮想ゲーム空間生成手段と、
プレイヤーの操作を受け付ける操作受付手段と、
該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、
該行動決定手段の決定結果に基づいてゲームの進行を制御するゲーム進行制御手段と、
他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、
ゲーム画面を表示するゲーム画面表示手段と、
該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを備えたゲーム装置であって、
他のゲーム装置と同じマップ情報を生成するための元情報を、該他のゲーム装置から又は該他のゲーム装置以外の外部装置から取得する情報取得手段を有し、
上記マップ情報生成手段は、該情報取得手段が取得した元情報に対応するマップ情報を生成するものであり、
上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするゲーム装置。
【手続補正２】
【補正対象書類名】明細書
【補正対象項目名】０００７
【補正方法】変更
【補正の内容】
【０００７】
上記目的を達成するために、請求項１の発明は、抽選装置と複数のゲーム装置とを含み、通信ネットワークを介して互いに情報通信可能に接続したゲームシステムであって、各ゲーム装置は、上記抽選装置による抽選で得られた各ゲーム装置で共通の抽選結果を示す抽選結果情報を取得する情報取得手段と、該情報取得手段が取得した抽選結果情報が示す抽選結果に対応するマップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、ゲーム画面を表示するゲーム画面表示手段と、該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを、それぞれ備えており、各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするものである。
このゲームシステムにおける各ゲーム装置は、別プレイヤーの操作対象キャラクタが存在する位置に対応するゲーム画面上の位置に別キャラクタ位置表示画像を表示しながらゲームが進行する同時プレイ型のゲームを実行することができる。このような同時プレイ型のゲームでは、他のゲーム装置でプレイする別プレイヤーの操作対象キャラクタに対応した別キャラクタ位置表示画像を、各ゲーム装置のゲーム画面上の対応位置に表示させる関係で、各ゲーム装置では同一のマップを持った仮想ゲーム空間を使用する必要があるが、本ゲームシステムの各ゲーム装置では、抽選装置による抽選で得られた各ゲーム装置で共通の抽選結果に対応したマップ情報が生成され、このマップ情報に基づいて生成される同じマップを持った仮想ゲーム空間を用いて同時プレイ型のゲームが進行される。
しかも、この同時プレイ型のゲームで用いるマップ情報は、抽選装置による抽選結果に対応したものであるため、ランダムに生成されるものである。
加えて、本ゲームシステムでは、マップ情報を生成するために各ゲーム装置が取得する情報は、単に抽選結果を示す情報であるため、その情報量は極めて少ない。よって、同時プレイ型のゲームを実行する際に各ゲーム装置で同一のマップを持った仮想ゲーム空間を生成するために各ゲーム装置で通信すべき情報通信量は非常に少なくて済む。一般に、本ゲームシステムのように複数のゲーム装置が通信ネットワークを介して接続されているシステムにおいて、新たな処理動作を実現するために通信負荷が増大することは、その新たな処理動作の実現の妨げとなる。本ゲームシステムにおける、同じマップを持った仮想ゲーム空間を用いて同時プレイ型のゲームを進行するための上述した処理動作は、通信負荷を増大させることがほとんど無いので、その実現が容易となる。
なお、本ゲームシステムで実行可能な同時プレイ型のゲームは、複数のプレイヤーがそれぞれ操作する操作対象キャラクタを単一の仮想ゲーム空間内に同時に存在させてゲームが進行するというものでも、複数のプレイヤーがそれぞれ操作する操作対象キャラクタを互いに同一のマップを持った個々の仮想ゲーム空間にそれぞれ存在させてゲームが進行するものでもよい。
【手続補正３】
【補正対象書類名】明細書
【補正対象項目名】０００８
【補正方法】変更
【補正の内容】
【０００８】
また、請求項３の発明は、請求項１又は２のゲームシステムにおいて、各ゲーム装置は、抽選手段をそれぞれ備えており、各ゲーム装置のゲーム進行制御手段は、上記進行制御を行う第１制御モードと、上記通信手段で別キャラクタ位置情報を取得せず、かつ、上記別キャラクタ位置表示画像をゲーム画面上に表示させることもなく、上記ゲームの進行制御する第２制御モードとで、選択的に動作し得るものであり、各ゲーム装置のマップ情報生成手段は、各ゲーム装置のゲーム進行制御手段が上記第２制御モードで動作する場合には、自己のゲーム装置の抽選手段が他のゲーム装置の抽選手段による抽選とは独立して行った抽選の結果に対応するマップ情報を生成することを特徴とするものである。
このゲームシステムにおいて、各ゲーム装置は、第２制御モードで動作することにより、プレイヤーが他のプレイヤーとの関わりを持つことなく個人的にプレイを楽しむ単独型のゲームを実行することができる。しかも、この単独型のゲームでも、ランダムに生成されるマップ情報に対応した仮想ゲーム空間が生成されるので、ゲームを繰り返しプレイするプレイヤーに対し、飽きを感じさせることが少ないという利点がある。
本ゲームシステムにおいて、各ゲーム装置は同時プレイ型のゲームと単独型のゲームの両方を選択的に実行することが可能である。しかも、同時プレイ型のゲーム進行を制御する第１制御モードでも、単独型のゲーム進行を制御する第２制御モードでも、同じマップ情報生成手段を用いてマップ情報を生成するので、個別のマップ情報生成手段を設ける場合に比べてハードウェア構成やソフトウェア構成を簡略化することができる。
加えて、単独型のゲームにおいてランダムに生成されるマップ情報を用いるゲーム装置は従来から存在するので、本ゲームシステムによれば、既存のゲーム装置の構成を利用して、ランダムに生成されるマップ情報を用いた同時プレイ型のゲームを実現することができる。
【手続補正４】
【補正対象書類名】明細書
【補正対象項目名】０００９
【補正方法】変更
【補正の内容】
【０００９】
また、請求項２の発明は、請求項１のゲームシステムにおいて、各ゲーム装置は、各ゲーム装置のマップ情報生成手段が上記抽選結果情報を用いてマップ情報を生成する場合に、該抽選結果情報が示す抽選結果に基づいて上記仮想ゲーム空間内に存在させるゲーム要素の種類、数及び位置の少なくとも１つを決定する決定処理を行うゲーム要素決定処理手段を有し、各ゲーム装置の仮想ゲーム空間生成手段は、上記ゲーム進行制御手段が上記進行制御を行うゲームについては、上記マップ情報のほか、該ゲーム要素決定処理手段による決定結果に用いて、上記仮想ゲーム空間を生成することを特徴とするものである。
このゲームシステムにおいては、同時プレイ型のゲームの仮想ゲーム空間内に存在させるゲーム要素の種類、数及び位置の少なくとも１つも、マップ情報と同様にランダムに決定されるので、よりプレイヤーに飽きを感じさせないようにすることができる。
【手続補正５】
【補正対象書類名】明細書
【補正対象項目名】００１０
【補正方法】変更
【補正の内容】
【００１０】
また、請求項４の発明は、複数のゲーム装置を通信ネットワークを介して互いに情報通信可能に接続したゲームシステムであって、各ゲーム装置は、各ゲーム装置で同じマップ情報を生成するための元情報を、自らのゲーム装置内で生成して取得するか又は他のゲーム装置若しくは上記複数のゲーム装置以外の外部装置で生成されたものを受信することで取得する情報取得手段と、取得した元情報に対応するマップ情報を生成するマップ情報生成手段と、プレイヤーの操作対象キャラクタが存在する仮想ゲーム空間を生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、ゲーム画面を表示するゲーム画面表示手段と、該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを、それぞれ備えており、各ゲーム装置のゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするものである。
このゲームシステムにおいても、各ゲーム装置で、別プレイヤーの操作対象キャラクタが存在する位置に対応するゲーム画面上の位置に別キャラクタ位置表示画像を表示しながらゲームが進行する同時プレイ型のゲームを実行することができる。このような同時プレイ型のゲームでは、他のゲーム装置でプレイする別プレイヤーの操作対象キャラクタに対応した別キャラクタ位置表示画像を、各ゲーム装置のゲーム画面上の対応位置に表示させる関係で、各ゲーム装置では同一のマップを持った仮想ゲーム空間を使用する必要があるが、本ゲームシステムでは、マップ情報を生成するために各ゲーム装置が取得する情報は、そのマップ情報を生成するための元情報であるため、マップ情報そのものよりもその情報量をずっと少なくすることができる。よって、同時プレイ型のゲームを実行する際に各ゲーム装置で同一のマップを持った仮想ゲーム空間を生成するために各ゲーム装置で通信すべき情報通信量は非常に少なくて済む。
なお、本ゲームシステムで実行可能な同時プレイ型のゲームは、複数のプレイヤーがそれぞれ操作する操作対象キャラクタを単一の仮想ゲーム空間内に同時に存在させてゲームが進行するというものでも、複数のプレイヤーがそれぞれ操作する操作対象キャラクタを互いに同一のマップを持った個々の仮想ゲーム空間にそれぞれ存在させてゲームが進行するものでもよい。
【手続補正６】
【補正対象書類名】明細書
【補正対象項目名】００１１
【補正方法】変更
【補正の内容】
【００１１】
また、請求項５の発明は、所定の抽選結果に対応するマップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、ゲーム画面を表示するゲーム画面表示手段と、該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを備えたゲーム装置であって、外部の抽選装置による抽選で得られた抽選結果を示す抽選結果情報を取得する情報取得手段を有し、上記マップ情報生成手段は、該情報取得手段が取得した抽選結果情報が示す抽選結果に対応するマップ情報を生成するものであり、上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするものである。
このゲーム装置によれば、他の同種のゲーム装置と協働することで、ランダムに生成されるマップ情報を用いた同時プレイ型のゲームを実行することが容易になる。
【手続補正７】
【補正対象書類名】明細書
【補正対象項目名】００１２
【補正方法】変更
【補正の内容】
【００１２】
また、請求項６の発明は、マップ情報を生成するマップ情報生成手段と、プレイヤーの操作対象キャラクタが存在する仮想ゲーム空間を該マップ情報生成手段が生成したマップ情報に基づいて生成する仮想ゲーム空間生成手段と、プレイヤーの操作を受け付ける操作受付手段と、該操作受付手段が受け付けたプレイヤー操作の内容に応じて、該仮想ゲーム空間生成手段が生成した仮想ゲーム空間内における上記操作対象キャラクタの移動を含んだキャラクタ行動を決定する行動決定手段と、該行動決定手段の決定結果に基づいてゲームの進行を制御するゲーム進行制御手段と、他のゲーム装置でプレイする別プレイヤーの操作対象キャラクタの該他のゲーム装置での仮想ゲーム空間内における位置を示す別キャラクタ位置情報を、通信ネットワークを介して繰り返し受信する通信手段と、ゲーム画面を表示するゲーム画面表示手段と、該仮想ゲーム空間生成手段が生成した仮想ゲーム空間の少なくとも一部を所定の視点から見渡した画像が表現されるゲーム画面を、該ゲーム進行制御手段の進行制御に応じて該ゲーム画面表示手段に表示させるゲーム画面表示制御手段とを備えたゲーム装置であって、他のゲーム装置と同じマップ情報を生成するための元情報を、該他のゲーム装置から又は該他のゲーム装置以外の外部装置から取得する情報取得手段を有し、上記マップ情報生成手段は、該情報取得手段が取得した元情報に対応するマップ情報を生成するものであり、上記ゲーム進行制御手段は、他のゲーム装置でプレイする別プレイヤーの操作対象キャラクタの該他のゲーム装置での仮想ゲーム空間内における位置を示す別キャラクタ位置情報を上記通信手段で繰り返し取得しつつ、取得した別キャラクタ位置情報が示す位置に対応する自己のゲーム装置における仮想ゲーム空間内の位置に該別プレイヤーの操作対象キャラクタが存在することを表す別キャラクタ位置表示画像を表示したゲーム画面を、上記ゲーム画面表示制御手段により上記ゲーム画面表示手段に表示させながら、上記ゲームの進行制御を行うことを特徴とするものである。
このゲーム装置によれば、他の同種のゲーム装置と協働することで、同時プレイ型のゲームにおいて各ゲーム装置で使用する同じマップ情報を少ない通信負荷で生成することが可能となる。
【手続補正８】
【補正対象書類名】明細書
【補正対象項目名】００２１
【補正方法】変更
【補正の内容】
【００２１】
ゲームユニット１の制御部１０は、主に、制御装置１１と、ＲＯＭ１２と、ゲーム情報記憶手段を構成するＲＡＭ１３と、情報取得手段及び通信手段を構成する通信装置１４とから構成される。制御装置１１は、ＲＯＭ１２に記憶されている各種プログラムを実行することで、マップ情報生成手段、仮想ゲーム空間生成手段、行動決定手段、ゲーム進行制御手段として機能し、各種処理や制御を行う。特に、制御装置１１は、その内部のコンピュータによりＲＯＭ１２に記憶されているゲーム実行プログラムを実行することで、上述したロールプレイングゲームの進行に必要な各種制御を行う。なお、制御装置１１は、ＲＡＭ１３と協働してゲーム情報記憶手段としても機能する。また、制御装置１１は、ゲーム画面表示制御手段としても機能する。ＲＯＭ１２は、ゲームユニット１の制御部１０で行うべき各種処理や制御の実行プログラム等を記憶している。ＲＡＭ１３は、各種データあるいは情報を一時的に記憶するものである。特に、ＲＡＭ１３は、後述のメダルカウンタ１５がカウントしたメダル枚数を電子データに変換したゲーム媒体であるクレジットデータ（ポイントデータ）を記憶するプレイヤーポイント記憶手段としてのクレジットデータ記憶領域を有する。通信装置１４は、施設管理装置２０の制御部との間、又は、同一のゲーム施設若しくは別のゲーム施設に設置された他のゲームユニットとの間で、データ通信を行うためのものである。
【手続補正９】
【補正対象書類名】明細書
【補正対象項目名】００３６
【補正方法】変更
【補正の内容】
【００３６】
また、ゲームユニット１のＲＯＭ１２は、各城データを特定するための城名データに関連付けて挑戦費用データがそれぞれ記憶された城挑戦情報データベースを記憶するデータ領域を有している。制御装置１１は、上述のようにして、図７に示した城選択画面で選択された城の選択操作を受け付けると、ＲＯＭ１２に記憶された城挑戦情報データベースから城名データに対応した挑戦費用データを読み出し、その挑戦費用データに相当するクレジット分を、ＲＡＭ１３に記憶されたクレジットデータから減らす処理を行う。なお、以下、クレジットデータを増減させる処理についても、上記と同様に行われる。
【手続補正１０】
【補正対象書類名】明細書
【補正対象項目名】００５０
【補正方法】変更
【補正の内容】
【００５０】
具体的に説明すると、上記カードデータベースには、カード名データに関連付けられたカード売却収入データも記憶されている。制御装置１１は、図１０（ｂ）に示した売却カード選択画面で、売却するカードを選択する操作を受け付けると、そのカードのカード名データを認識する。そして、制御装置１１は、そのカードがショップで売却可能なものであるとき、カードデータベースの使用可能データ領域にある当該カードデータの使用不可状態にするために、そのカード名データに対応するカードデータから使用許可符号を削除する。これにより、そのカードデータはカードデータベースの使用不可能データ領域に記憶されることになり、プレイヤーは、そのカードデータを使用できなくなる。また、使用可能データ領域にあるカードデータが使用不可状態になると、制御装置１１は、上記カードデータベースからカード名データを選択し、このカード名データに対応したカード売却収入データを読み出す。そして、制御装置１１は、この読み出したカード売却収入データに相当するクレジットデータを、ＲＡＭ１３に記憶されたクレジットデータに足す。
【手続補正１１】
【補正対象書類名】明細書
【補正対象項目名】００５９
【補正方法】変更
【補正の内容】
【００５９】
一方、上記判断において規定人数に達したと判断した場合、システム管理装置３０の制御装置３１は、同時プレイデータベースに登録されている各ユニットＩＤにより特定されるゲームユニット１それぞれに、同時プレイゲーム開始通知を送信する。この同時プレイゲーム開始通知を受けたゲームユニット１の制御装置１１は、ディスプレイ２に、同時プレイゲーム開始通知を受けた旨を表示するとともに、同時プレイゲームのプレイを了承するかどうかを問い合わせるメッセージ画面を表示する。このメッセージ画面を見た各プレイヤーが了承する旨の操作を行うと、そのゲームユニット１からプレイ了承通知が施設管理装置２０を経由してシステム管理装置３０に対して送信される。このとき、プレイヤーＩＤのＩＤ番号とともに、当該ゲームユニット１のユニットＩＤも一緒に送信する。そして、システム管理装置３０の制御装置３１は、すべてのゲームユニット１からプレイ了承通知を受信したら、そのプレイ了承通知とともに受信した各ユニットＩＤにより特定される各ゲームユニット１（参加ゲームユニット１）に対し、初期設定情報を送信する。
【手続補正１２】
【補正対象書類名】明細書
【補正対象項目名】００６８
【補正方法】変更
【補正の内容】
【００６８】
なお、別プレイヤーキャラクタ画像の移動を滑らかに再現する方法としては、次のような方法を採用してもよい。
すなわち、位置情報を受信する参加ゲームユニット１側で、更新前後における別キャラクタ位置表示画像の表示位置の間に新たな表示位置を補完する処理を行い、更新前の別キャラクタ位置表示画像の表示位置を、補完した表示位置を経由して更新後の表示位置に更新するように表示処理を行う方法である。補完する表示位置やその数は、適宜設定される。補完する表示位置を３つに設定した場合、例えば、当該別プレイヤーキャラクタが最短距離を移動したものと仮定し、その最短移動経路を４分割し、各分割点の位置を補完するようにする。
このような補完を行うことにより、個々の位置情報の定期送信間隔が長くても、別プレイヤーキャラクタ画像の移動を滑らかに再現できる。
また、位置情報の通信において通信遅延やパケットロスなどの通信障害が生じた場合、上述した本実施形態による通信方法（１回の送信で２以上の位置情報を送信する方法）であっても、別プレイヤーキャラクタ画像の移動を滑らかに再現できない。この場合でも、上述した補完処理を行うことで、別プレイヤーキャラクタ画像の移動を滑らかに再現することができる。